(57)【要約】階段昇降機用の椅子での使用のために開発され、様々な他の用途にも使用することができる保持装置が記載されている。保持装置は、リール上に引き込み式に巻回されるベルト（２６）を備える。このリールはキャリア（２８）に搭載されている。操作中において、このキャリア（２８）は係止箇所に動かされ、リールからベルトが繰り出される。キャリア（２８）が所定の位置で係止される時、ベルト（２６）はリールに対して係止される。更に他の特徴（特に階段昇降機への使用に関連する）が、記載されている。
2006520629.tif 000002
【特許請求の範囲】
【請求項１】
リールキャリアに回転するように搭載されたリールを備える保持装置であって、前記リールに巻回されると共に一端で固定された一本の布を備えており、該布は他端に自由端を有しており、該自由端は使用中に設備に固定されており、前記リールキャリアは前記布を巻き戻すために前記自由端の固定位置から取り外すことができることを特徴とする前記保持装置。
【請求項２】
前記リールキャリアは、固定部品を備えており、使用中に前記リールキャリアは前記設備の一部に形成された対応する固定部品に係合することができることを特徴とする請求項１に記載の保持装置。
【請求項３】
前記保持装置は、前記リールハウジングに対して前記布またはベルトの位置を係止する係止手段を備えており、前記リールキャリアを前記設備の前記固定部品に係合することによって係止手段が作動することを特徴とする請求項１または２に記載の保持装置。
【請求項４】
前記係止手段は、前記リールキャリア内で前記リールを係止するように作動することを特徴とする請求項３に記載の保持装置。
【請求項５】
前記装置は、前記リールキャリア内に前記ベルトを引き込むための引き込み手段を備えていることを特徴とする請求項１〜４のいずれかに記載の保持装置。
【請求項６】
前記リールキャリアは、ユーザの手が快適に掴むことができるような大きさおよび形状に形成されたハウジングを備えることを特徴とする請求項１〜５のいずれかに記載の保持装置。
【請求項７】
前記ベルトが前記リールキャリアに出入りする箇所は、支持部材によって囲まれていることを特徴とする請求項１〜６のいずれかに記載の保持装置。
【請求項８】
前記支持部材は、前記ベルトの柔軟性よりも低いがある程度の柔軟性を備えていることを特徴とする請求項７に記載の保持装置。
【請求項９】
請求項１〜８のいずれかに記載の保持装置を備えた階段昇降機用椅子。
【請求項１０】
前記階段昇降機用椅子は、間隔を置いて配置された２つの肘掛けと、前記リールキャリアと、を備えており、前記ベルトの前記自由端は前記２つの肘掛けの一方に取り付けられており、前記リールキャリアは前記２つの肘掛の他方に取り付けられた固定部品に取り外し可能に接続可能であることを特徴とする請求項９に記載の階段昇降機の椅子。
【請求項１１】
前記２つの肘掛けは、前端部と後端部とを有しており、前記保持装置は、前記２つの肘掛けの前記後端部よりも前記前端部に近い箇所のそれぞれの間に伸びることを特徴とする請求項１０に記載の階段昇降機。
【請求項１２】
前記リールキャリアと前記肘掛けとの間の接続箇所は、階段昇降機ユーザの視界内であることを特徴とする請求項１０または１１に記載の階段昇降機用椅子。
【請求項１３】
前記階段昇降機用の椅子は、使用中にユーザの肩の上にかかるように構成された付加的なベルトを備えており、該付加的なベルトは前記リールキャリアに接続されるかまたは接続するために採用されていることを特徴とする請求項９〜１２のいずれかに記載の階段昇降機用椅子。
【請求項１４】
階段昇降機用椅子であって、間隔を置かれて配置された一対の肘掛けと、使用中に前記椅子に階段昇降機ユーザを保持するために操作可能な保持装置を備えており、前記保持装置の一部は前記一対の肘掛の一方に取り付けられており、前記保持装置の一部は使用中に前記一対の肘掛の他方と取り外し可能に係合することを特徴とする階段昇降機用椅子。
【請求項１５】
前記一対の肘掛けは、前端と後端とを有しており、前記保持装置は使用中に前記一対の肘掛けの前記後端よりも前端に近い箇所のそれぞれの間に伸びることを特徴とする請求項１４に記載の階段昇降機用椅子。
【請求項１６】
前記保持装置は、リールキャリアと、該リールキャリア内に回転可能に搭載されたリールと、該リールに巻回されると共に自由端を有しているベルトと、を備えており、前記自由端は、前記一対の肘掛の一方に固定されており、前記リールキャリアは前記一対の肘掛の他方にて固定部品に取り外し可能に接続可能であることを特徴とする請求項１４および１５に記載の階段昇降機用椅子。
【請求項１７】
保持装置を有する階段昇降機用椅子であって、該保持装置は、リールに巻回されると共に、前記保持装置がユーザの前記椅子への乗り降りの動きを妨げることのない引き込まれた位置と、前記保持装置が前記ユーザの前記椅子での動きを妨げる伸ばされた位置との間で伸びることが可能なベルトを有し、前記保持装置は、前記伸ばされた位置に前記保持装置を固定することで前記リールに対して前記ベルトを固定することを特徴とする階段昇降装置用椅子。
【請求項１８】
前記保持装置は更に、前記リールが回転可能に搭載されたリールキャリアを備えており、前記リールキャリアは前記伸ばされた位置に移動可能であることを特徴とする請求項１７に記載の階段昇降機用椅子。
【請求項１９】
保持装置を備える階段昇降機用椅子であって、前記保持装置は、
固定部品と、
該固定部品へ係合可能かつ取り外し可能なリールキャリアと、
該リールキャリア内に回転可能に搭載されたリールと、
該リールに巻回されるようにこのリールに固定された第１ベルトと、
前記椅子に一端が固定されており前記リールキャリアに他端が固定されている第２のベルトと、
を備えており、
前記第１および第２ベルトのうちの一方はユーザのひざの上にかかるように構成されており、他方のベルトはユーザの肩の上にかかるように構成されていることを特徴とする階段昇降機用椅子。
【請求項２０】
請求項１〜２０のいずれか１つに記載された少なくとも階段昇降機用椅子または保持装置のいずれか一つを備える階段昇降機。
【発明の詳細な説明】
【技術分野】
【０００１】
本発明は保持装置に関する。本発明は、階段昇降機用の椅子においてそのユーザを保持(閉鎖)するために引き込み式のベルトの形態の保持装置を提供するために特に開発されたが、本明細書において記載された保持装置は、種々多様な用途において使用することも可能である。
【背景技術】
【０００２】
多くの実用的な装置において、リールに巻回された布またはベルトが使用される。 自動車用安全ベルト、一時的な群衆整理用バリアおよび荷物保持の特定の形態がその例として含まれる。これら全ての装置において、そのリール部分は固定されている。使用中、ベルトの自由端は、リールからベルトを繰り出すために、リール部分から引き離される。そしてこのベルトの自由端は、例えばインターロッキングバックルおよびソケットによって所定の位置に固定される。バックル／ソケットが解除（リリース）されるときにリール上にベルトを巻き戻すために、引き込み装置がリール内に形成される。
【０００３】
一般的な保持装置は、階段昇降機がレールに沿って上下に移動する時に、階段昇降機用椅子に座っているユーザを保持する手段として提供される。階段昇降機において使用される安全ベルトの特定の種類は、救急車ベルトとして知られる。この種の装置を作動させるために、ベルトがリールから引き出され、ベルトの自由端に取り付けられているバックルが係止ソケットに嵌入される。リールからベルトを引き出す動作が止められるかまたは休止されるとするとすぐに、リールと連動するベルトの位置は係止され、ベルトをそれ以上引き出すことができない。もしベルトが十分に伸びていないのであれば、このベルトを再び伸ばす前に、まずリリースして、ある程度リールに巻き戻さなくてはならない。
【発明の開示】
【発明が解決しようとする課題】
【０００４】
これらの既存の階段昇降機には、多くの欠点がある。第１に、一般的に椅子の後部角の一方にリールが取り付けられており、他方に係止ソケットが取り付けられている。この取付配置によって、ベルトをひざの上を横切ってかけることができる。一般的な階段昇降機ユーザは、身体の動きが不自由であって、そうしたユーザが腰の後ろのリールの場所を探し当てて、このリールからバックルを引き出して、更に、反対側の腰の後ろに配置された係止ソケットにバックルを配置することは困難である。結果として、ユーザは、その煩わしさから安全ベルトを使用しないことが多い。
【０００５】
第２の欠点は、リールからベルトを引き出してベルトをひざの上に渡す間にユーザが一時休止する場合、ベルトが係止するということである。従って、ユーザは、ベルトを引き込ませ、また最初から始めなければならない。この工程の煩わしさによって、特に手の動きが不自由なユーザはそのベルトを使用することを思いとどまってしまう。
【０００６】
最後に、この操作を視界の外で行わなければならない場合に（これは従来の階段昇降機ではよくあることだが）特に、係止のための固定具へのバックルの係合は、煩わしいものとなりうる。この問題は、ユーザの手の動きが不自由な場合（階段昇降機ユーザの多くを占める関節炎患者の特徴である）に悪化する。
【０００７】
本発明の目的は、上述した欠点にいくぶん対処するかもしくは少なくとも新規かつ有用な選択肢を提供する保持装置を提供することである。
【課題を解決するための手段】
【０００８】
第１の態様において、本発明は、リールキャリアに回転するように搭載されたリールを備える保持装置（containment device）を提供し、前記保持装置は、前記リールに巻回されると共に一端で固定された一本の布を備えており、該布は他端の自由端を有しており、該自由端は使用中に設備(installation)に固定されており、前記リールキャリアは前記布を巻回された状態から伸ばす（unwind）ために前記自由端の固定位置から取り外すことができることを特徴とする。
【０００９】
好ましくは、前記リールキャリアは、固定部品を備えており、使用中に前記リールキャリアは前記設備の一部に形成された対応する固定部品に係合することができることを特徴とする。
【００１０】
好ましくは、前記保持装置は、前記リールハウジングに対して前記布またはベルトの位置を係止する係止手段を備えており、前記リールキャリアを前記設備の前記固定部品に係合することによって係止手段が作動することを特徴とする。
【００１１】
好ましくは、前記係止手段は、前記リールキャリア内で前記リールを係止するように作動することを特徴とする。
【００１２】
好ましくは、前記装置は、前記リールキャリア内に前記ベルトを引き込むための引き込み手段を備えていることを特徴とする。
【００１３】
好ましくは、前記リールキャリアは、ユーザの手が快適に掴むことができるような大きさおよび形状に形成されたハウジングを備えることを特徴とする。
【００１４】
好ましくは、前記ベルトが前記リールキャリアに出入りする箇所は、支持部材によって囲まれていることを特徴とする。
【００１５】
好ましくは、前記支持部材は、前記ベルトの柔軟性よりも低いがある程度の柔軟性を備えていることを特徴とする。
【００１６】
第２の態様において、本発明は、上述の保持装置を備えた階段昇降機用椅子である。
【００１７】
好ましくは、前記階段昇降機用椅子は、間隔を置いて配置された２つの肘掛けと、前記リールキャリアと、を備えており、前記ベルトの前記自由端は前記２つの肘掛けの一方に取り付けられており、前記リールキャリアは前記２つの肘掛の他方に取り付けられた固定部品に取り外し可能に接続可能であることを特徴とする。
【００１８】
好ましくは、前記２つの肘掛けは、前端部と後端部とを有しており、前記保持装置は、前記２つの肘掛けの前記後端部よりも前記前端部に近い箇所のそれぞれの間に伸びることを特徴とする。
【００１９】
好ましくは、前記リールキャリアと前記肘掛けとの間の接続箇所は、階段昇降機ユーザの視界内であることを特徴とする。
【００２０】
好ましくは、前記階段昇降機用椅子は、使用中にユーザの肩の上にかかるように構成された付加的なベルトを備えており、該付加的なベルトは前記リールキャリアに接続されるかまたは接続するために採用されていることを特徴とする請求項９〜１２のいずれかに記載の階段昇降機用椅子。
【００２１】
第３の態様において、本発明は、階段昇降機用椅子を提供しており、該階段昇降機用椅子は、間隔を置かれて配置された一対の肘掛けと、使用中に前記椅子に階段昇降機ユーザを保持するために操作可能な保持装置を備えており、前記保持装置の一部は前記一対の肘掛の一方に取り付けられており、前記保持装置の一部は使用中に前記一対の肘掛けの他方と取り外し可能に係合することを特徴とする。
【００２２】
好ましくは、前記一対の肘掛けは、前端と後端とを有しており、前記保持装置は使用中に前記一対の肘掛けの前記後端よりも前端に近い箇所のそれぞれの間に伸びることを特徴とする。
【００２３】
好ましくは、前記保持装置は、リールキャリアと、該リールキャリア内に回転可能に搭載されたリールと、該リールに巻回されると共に自由端を有しているベルトと、を備えており、前記自由端は、前記一対の肘掛の一方に固定されており、前記リールキャリアは前記一対の肘掛の他方にて固定部品に取り外し可能に接続可能であることを特徴とする。
【００２４】
第４の態様において、本発明は、保持装置を有する階段昇降機用椅子を提供しており、該保持装置は、リールに巻回されると共に、前記保持装置がユーザの前記椅子への乗り降りの動きを妨げることのない引き込まれた位置と、前記保持装置が前記ユーザの前記椅子での動きを妨げる伸ばされた位置との間に伸びることが可能であり、前記保持装置は、前記伸ばされた位置に前記保持装置を固定することによって前記リールに対して前記ベルトを固定することを特徴とする。
【００２５】
好ましくは、前記保持装置は更に、前記リールが回転可能に搭載されたリールキャリアを備えており、前記リールキャリアは前記伸ばされた位置に移動可能であることを特徴とする。
【００２６】
第５の態様において、本発明は、保持装置を備える階段昇降機用椅子を提供しており、前記保持装置は、固定部品と、該固定部品へ係合可能かつ取り外し可能なリールキャリアと、該リールキャリア内に回転可能に搭載されたリールと、該リールに巻回されるようにこのリールに固定された第１ベルトと、前記椅子に一端が固定されており前記リールキャリアに他端が固定されている第２のベルトと、を備えており、前記第１および第２ベルトのうちの一方はユーザのひざの上にかかるように構成されており、他方のベルトはユーザの肩の上にかかるように構成されていることを特徴とする。
【００２７】
第６の態様において、本発明は、少なくとも前記階段昇降機用椅子または前記保持装置のいずれか一つを備える階段昇降機を提供する。
【００２８】
本発明が実施することが可能な多くの変形は、当業者にとっては想到可能である。後述の説明は、本発明を実行する１つの手段を例示するのみであって、異形または同等物の記載の欠如は、本発明を制限することを意図しない。可能ならば、特定の要素の説明は、現在または将来存在する全ての同等物を含むと理解されよう。本発明の範囲は、添付の請求の範囲によってのみ制限されるべきである。
【発明を実施するための最良の形態】
【００２９】
階段昇降機に適用された、本発明の一実施例は、添付した以下の図面を参照にして記載される。最も広い態様において、本発明は、その基礎として、回転可能なリールに巻回された布またはベルト材料を有する保持装置を提供する。本明細書において、そうした保持装置が階段昇降機用椅子に適用され、その詳細が記載されている。しかしながら、本明細書において記載される保持装置は、群衆整理バリアおよび荷物保持装置を含む（これらに限定しない）他の多数の用途に適用することが可能である。
【００３０】
まず図１Ａおよび１Ｂを参照すると、階段昇降機の設備１０は、そのレール上に載置された台車１１を含んで示され、このレールに沿って上下に動く。椅子１３は、台車１１に載置されている。従来の形態において、椅子１３は、受座面１４、背もたれ１５、間隔を置いて配置された一対の肘掛け１６Ａおよび１６Ｂを備える。
【００３１】
設備１０は、後に詳細が記載される保持装置を更に有する。概して、この保持装置はリール上に巻回されたベルトの形態をとり、このベルトは、リールから伸長可能であると共に、間隔の置いた接続箇所に接続可能であって、階段昇降機のユーザの上に架かり、このユーザが椅子１３から不意に落下するのを防ぐ。
【００３２】
従来、階段昇降機用椅子は引き込み式のシートベルトの形態における保持装置を備えており、このシートベルトは受座面１４の一後部角１８Ａに近接して取り付けられており、ベルトバックルは、もう一方の後部角１８Ｂに近接して取り付けられたソケットに係合する。シートベルトの位置を見つけて締めるために位置１８Ａおよび１８Ｂのベルト部品の位置を見つけることは、身体に不自由のある人、特に手の動きが不自由な人にとっては困難である。結果として、しばしばシートベルトが使用されない。
【００３３】
従って、本発明は一側面において、肘掛け１６Ａおよび１６Ｂ上に取り付けされて、その間において伸長する保持装置、すなわちシートベルトを提供することによって上記の欠点に対処する。
【００３４】
図１Ａおよび１Ｂに示される形態において、このシートベルト組立体２０は、肘掛１６Ａに固定され、肘掛１６Ｂに係合するために横に引かれる。更に、組立体２０が肘掛けの後端よりも前端２２の近くに取り付けされていることは、図１Ａおよび１Ｂから明白である。従って、組立体２０は、椅子１３に座っているユーザの手に容易に届き、好ましくはユーザの視界の範囲内にある。このことはユーザにシートベルトの使用を助長し、ユーザはその使用が比較的容易であると認識する。
【００３５】
図１Ａおよび１Ｂに示される装置において、従来のシートベルトリールを肘掛け１６Ａに固定し、従来のシートベルトソケットを肘掛け１６Ｂに適用することができる一方、我々は、従来のシートベルトの構造は特に手の動きに不自由のある人にとってその操作が面倒であることに気がついた。特に関節炎によって手の動きに不自由がある階段昇降機のユーザは多数いる。このため、手の動きに不自由のある人による使用に特に適した保持装置の新規な形態を考案した。より詳細には、我々は、リールからベルトを引き出すときに、従来の階段昇降機において使用されてきた救急者仕様のシートベルトと異なり、ユーザが一旦止まった位置でベルトを係止することのないシートベルトを考案した。
【００３６】
次に図２〜４を参照すると、本発明は更に、ベルト２６の自由端２４が固定板２５（図４）によって肘掛１６Ａに固定された保持装置を提供する一方、リールハウジング２８（ベルト２６を巻回したリールを収納する）の形態をとるリールキャリアは、肘掛けと肘掛けの間において取り外し可能であって、肘掛１６Ｂ上に取り付けられた固定部品３０に係合することができる。リールハウジングが肘掛け１６Ｂの方向に移動するにつれて、ベルト２６がリールから繰り出されることは明白である。後で詳しく述べるように、リールハウジング２８を固定部品３０に係合することによって、ベルト２６をハウジング２８に係止するロック機構が作動する。このように、このベルトは、保持の効果的形態を提供する。
【００３７】
図１Ａに示されるようにベルトが外されている時は、リールハウジングは肘掛け１６Ａの下に垂れ下がっている。ユーザが椅子１３に座った時に、そのユーザはハウジングを握り、それを固定部品３０に係合させる。
【００３８】
ハウジング２８が先細りの形状を有しており、ユーザの手にフィットするように形成される点に注目されたい。ハウジングの幅Ｘは（図２）、およそ一般的な手（６５mm）の平の幅であって、ハウジングを所定の位置に操作するためにこのハウジングを手で強く握り締めることを必要としない。図から分かるように、ベルト２６が出入りするハウジングの後部において、支持部材３２が提供される。この支持部材３２は、ベルト２６の一部を囲むスリーブ(鞘)の形態である。更にこの支持部材３２は、ベルト２６の柔軟性よりも実質的に低い柔軟性を備えるゴムまたはプラスチック材から形成されることが好ましい。数ある状況において、支持部材３２は、この装置が係合していない状態においてハウジング２８を掴む作業を助け、固定部品３０との接続を行い易くする。
【００３９】
リールハウジング２８と固定部品３０との間の主要な接続は、相互に作用するピンおよびソケットによって好ましくは達成される。図に示される特定の形態において、固定部品は、上方に表面が向けられているソケット３４（図８）を備えており、一方、リールハウジング２８が下方に突出するピン３６を備えている。図９において最もよく分かるように、ソケット３４およびピン３６は下方へ先細りになっている。このように、ピン３６がソケット３４に入り始めたときには、２つの部品の間にはかなりのクリアランスがある。 これによって、ユーザがこの初期接続を行うことが容易となる。一旦その接続が始められると、ユーザは、上記２つの部品をラッチ係合するために、リールハウジング２８に下方へ力を加えるだけでよい。このラッチ係合は、リールハウジング上に設けられた、バネが装着されたラッチ３８（固定部品３０に形成された水平棚状突起３９の下に突出している）の相互作用によって達成される。 ハウジング２８の側面に取り付けられたリリースパッド４０は、ラッチ係合を解除（リリース）する手段を提供しており、その機構は後に詳細に記載してある。
【００４０】
上記のように、本明細書において記載されるような装置は、手の動きに不自由のある人によって使用されることが多い。そのような人は、リリースパッド４０を操作することが困難である可能性があり、この場合、パッドの最上部は可撓性帯状ひも４１（図２）によって相互接続することができる。操作にあたって、ユーザは、この帯状ひもに手を滑り込ませることができ、パッド４０を指を使うことなしラッチ係合を解除することが可能である。
【００４１】
帯状ひも４１の更なる利点は、リールハウジングを容易に掴むことができて、容易に所定の位置に配置することができるということである。実際、この帯状ひも４１を備えることによって、リールハウジングの後部の支持部材３２を備える必要性が無くなるかもしれない。
【００４２】
本明細書において記載される保持装置の特に好適な態様は、ハウジング２８が固定部品３０に係合している時に、係止手段がハウジング２８に対してベルト２６の位置を係止するために作動することである。この目的のために、リールハウジング２８は可動突起４２を更に備えており、ハウジング２８が固定部品３０に係合する時に、その突起は固定部品３０の上側表面部４３と接触する。以下に詳述するように、保持部品が係合する時の突起４２の移動によって、リールが更に回転しないように係止させる。
【００４３】
次に図５〜７を参照すると、これらの図は、上記の機能を達成するリールハウジング２８の内部要素を示している。 図７から分かるように、リールハウジング２８の内部要素は、主要ベースプレート５０およびボトムプレート５２を含んでおり、このプレート５２はスペーサ５３によってプレート５０と連係して配置される。リール５４（ベルト２６が巻回される）は、上記プレート５０および５３の間に回転可能に搭載される。引き戻し機構（retractable mechanism）（図示せず）は、好適にはリール５４内に配置されており、周知の形態または適切な形態でありえ、例えば、ねじりばねを備えることも可能である。放射状に突出する歯５７を備える歯車５６は、プレート５０上に配置され、リール５４と共に回転するようにリール５４に固定されている。
【００４４】
リールハウジング２８を固定部品３０に係合した状態を保つラッチング機構は、主要プレート５０の下側に構成されている。図から分かるように、ラッチ３８は、ラッチアーム５８の下端に形成されており、このラッチアームは横棒（クロスバー）６０に取り付けられている。実質的に三角形のプレート６２が、横棒６０の外端部にて、更に図７に示される組立体の両側に位置するように取り付けられており、このプレートは、先細りの開口部６３を備えている。リールハウジング２８の組立体上において、リリースパッド４０の内面上に形成された複数の突起は開口部６３に位置し、従って、リリースパッド４０のどちらか一方または両方の上方への動きによってラッチ３８が横棒６０の軸を中心にして回転することができる。
【００４５】
図から分かるように、係合ピン３６は、プレート５０の下側から突出しており、このプレート５０と一体的に形成することができる。開口部６５は、ピン３６に近接してベースプレート５０に形成されており、この開口部を通して可動突起４２が突出している。
【００４６】
図５および６に戻ると、突起４２は、可動歯止め６６に固定されるか、またはその一部として形成されている。なお、この歯止め６６は、後部６７と前部６８を有しており、突起４２は後部６７から突出している。前部６８は、歯車５６の歯５７にかみ合うような大きさであると共にそれらにかみ合うように配置された放射状に伸びている歯６９を有している。歯止め６６はベースプレート５０の上面に形成されたブラケット（取り付け具）７０の間に枢動できるように取り付けられており、図６に示されるようにばね７２によって歯車５６から外れる位置に傾くことができる。ばね７２は、歯止め６６と、リールハウジング２８の外面を形成するケースの下面との間で動く。保持装置の２つの部分が係合する時、面４３に当たることによる突起４２の動作が、歯止め６６を図５に示されるような歯６７が歯５７間でかみ合う位置に旋回させ、回転しないようにリール５４を係止する。
【００４７】
歯止め６６は更に、歯止めの歯６９が歯車５６の歯５７の上に重なるかまたはそれに衝突した場合においても、リールハウジング２８が固定部品３０に係合するように作動体または「プラスチック」ヒンジ７４（図示されず）を備えてもよい。ヒンジ７４の提供は、歯車５６上での歯６９の傾き角度を確実にし、ベルトが少し伸びただけでも歯５７と６９が実際にかみ合うことを確実にする。
【００４８】
本発明は、より安全な、三点での結合の形態をとる保持装置をも想定している。図１０Ａ及び１０Ｂを参照すると、椅子１３は、ユーザの肩の上を通るように構成された付加的なベルト７５が備えられている。この形態において、この付加的なベルト７５の一端は、支柱（ポスト）７７（図示されず）に取り付けられており、この支柱７７は、背もたれ１５から上方に突設している。この付加的なベルト７５の他端は、リールハウジング２８に取り付けられている。
【００４９】
階段昇降機が使用中でない時、図１０Ａに示されるように、ベルト２６はリールハウジング２８に格納され、このリールハウジング２８は肘掛１６Ａの下に垂れ下がる。上記付加的なベルト７５は、肘掛け１６Ａが取り付けられた椅子の側面に、環状にて垂れ下がる。
【００５０】
ユーザが椅子に座り、リールハウジング２８を固定部品３０と係合するためにこのリールハウジング２８を引っ張る時に、上記付加的なベルト７５は、胸部全体に引かれ、単一のベルトによって与えられる保持力よりも大きな保持力を与える。
【００５１】
ひざの上にかかるベルト２６は、リールハウジング２８内に搭載されていることが図に示されている一方、ベルト７５は引き込み式のベルトであって、階段昇降機が使用されていない時は吊り下げることができる。
【００５２】
保持装置がどのような形態をとるにしても、保持装置が固定されていない時に台車１２がレール１２に沿って移動するのを防ぐように、少なくともリールハウジング２８または固定部品２０のいずれか一方にインターロックが備えられることも考えられる。
【００５３】
このように、本発明は、少なくとも本明細書において記載される実施例において、特に手の動きに不自由のある階段昇降機ユーザによる操作に特に適している効果的な保持装置を提供する一方、他の多様な分野において適用することも可能であることが認められよう。
【図面の簡単な説明】
【００５４】
【図１Ａ】図１Ａは、第一形態において、本発明の保持装置が取り付けられた階段昇降機の設備の等角図を示す。
【図１Ｂ】図１Ｂは、第２形態の保持装置を備えた、図１Ａに類似する図である。
【図２】図２は、本発明における保持装置のリールキャリアであって、図１を上から見たとともに拡大した等角図を示す。
【図３】図３は、図２に示されたものを下から見た等角図を示す。
【図４】図４は、係合から外れた位置のリールキャリアを示す図３に類似する図を示す。
【図５】図５は、内部動作を示すために部分的に切り取られた、伸ばされた位置に固定されたリールキャリアの図２〜４を拡大した等角図を示す。
【図６】図６は、固定ソケットから外れたリールキャリアを示す図５に類似する図を示す。
【図７】図７は、図２〜図６に示されるリールキャリアの更なる内部要素の等角図を示す。
【図８】図８は本発明における保持装置を位置決めするリールキャリアを嵌合するソケットを上から見た等角図を示す。
【図９】図９は、リールキャリアとソケットとの接続を示す断面図である。
【図１０Ａ】図１０Ａは、付加的な保持用部品が加えられた図１Ａおよび１Ｂに類似する図を示す。
【図１０Ｂ】図１０Ｂは、付加的な保持用部品が加えられた図１Ａおよび１Ｂに類似する図を示す。
2006520629.tif 000003
【図２】
2006520629.tif 000004
【図３】
2006520629.tif 000005
【図４】
2006520629.tif 000006
【図５】
2006520629.tif 000007
【図６】
2006520629.tif 000008
【図７】
2006520629.tif 000009
【図８】
2006520629.tif 000010
【図９】
2006520629.tif 000011
2006520629.tif 000012
【国際調査報告】
2006520629.tif 000013
2006520629.tif 000014
2006520629.tif 000015
2006520629.tif 000016
2006520629.tif 000017